(57)【特許請求の範囲】
【請求項１】
ユーザ装置（ＵＥ）のＵＥ下層無線ローカルエリアネットワーク（ＷＬＡＮ）エンティティが、前記ＵＥのＵＥ上層エンティティにより送信されたシグナリング及びデータのうち少なくとも何れかを、ＷＬＡＮプロトコルフォーマットにカプセル化して無線インタフェースを介して第３世代パートナーシッププロジェクト（３ＧＰＰ）アクセスネットワークに送信すること、
前記ＵＥ下層ＷＬＡＮエンティティが、前記無線インタフェースを介して前記３ＧＰＰアクセスネットワークにより送信されたシグナリング及びデータのうち少なくとも何れかを受信し、デカプセル化した後前記ＵＥ上層エンティティに送信すること、
前記ＵＥ上層エンティティが、前記ＵＥ下層ＷＬＡＮエンティティ及び前記無線インタフェースを介して前記３ＧＰＰアクセスネットワークとともに制御プレーン接続及びユーザプレーン接続のうち少なくとも何れかを作成すること、を含むコンバージェンスネットワークのデータ伝送を実現する方法。
【請求項２】
前記ＵＥ上層エンティティは、
無線リソース制御（ＲＲＣ）層エンティティ、パケットデータコンバージェンスプロトコル（ＰＤＣＰ）層エンティティ、無線リンク制御（ＲＬＣ）層エンティティ、媒体アクセス制御（ＭＡＣ）層エンティティのうちの１つまたは複数を含む請求項１に記載の方法。
【請求項３】
前記ＵＥは、前記ＵＥ下層ＷＬＡＮエンティティと前記ＵＥ上層エンティティとの間に位置するロジックリンク制御（ＬＬＣ）層エンティティをさらに含み、
前記方法は、
前記ＬＬＣ層エンティティにより前記ＵＥ上層エンティティが送信したシグナリング及びデータのうち少なくとも何れかをカプセル化した後前記下層ＷＬＡＮエンティティに送信すること、
前記ＬＬＣ層エンティティにより前記ＵＥ下層ＷＬＡＮエンティティが送信したシグナリング及びデータのうち少なくとも何れかをデカプセル化した後前記ＵＥ上層エンティティに送信すること、をさらに含む請求項１に記載の方法。
【請求項４】
アクセスネットワーク装置のアクセスネットワーク下層無線ローカルエリアネットワーク（ＷＬＡＮ）エンティティが、前記アクセスネットワーク装置のアクセスネットワーク上層エンティティにより送信されたシグナリング及びデータのうち少なくとも何れかをＷＬＡＮプロトコルフォーマットにカプセル化して無線インタフェースを介してユーザ装置（ＵＥ）に送信すること、
前記アクセスネットワーク下層ＷＬＡＮエンティティが、前記無線インタフェースを介して前記ＵＥにより送信されたシグナリング及びデータのうち少なくとも何れかを受信し、デカプセル化した後前記アクセスネットワーク上層エンティティに送信すること、
前記アクセスネットワーク上層エンティティが、前記アクセスネットワーク下層ＷＬＡＮエンティティ及び前記無線インタフェースを介して前記ＵＥと制御プレーン接続及びユーザプレーン接続のうち少なくとも何れかを作成すること、を含むコンバージェンスネットワークのデータ伝送を実現する方法。
【請求項５】
前記アクセスネットワーク上層エンティティは、
無線リソース制御（ＲＲＣ）層エンティティ、パケットデータコンバージェンスプロトコル（ＰＤＣＰ）層エンティティ、無線リンク制御（ＲＬＣ）層エンティティ、媒体アクセス制御（ＭＡＣ）層エンティティのうちの１つまたは複数を含む請求項４に記載の方法。
【請求項６】
前記３ＧＰＰアクセスネットワーク装置は、前記アクセスネットワーク下層ＷＬＡＮエンティティと前記アクセスネットワーク上層エンティティとの間に位置するロジックリンク制御（ＬＬＣ）層エンティティをさらに含み、
前記方法は、
前記ＬＬＣ層エンティティが、アクセスネットワーク上層エンティティにより送信されたシグナリング及びデータのうち少なくとも何れかをカプセル化した後前記アクセスネットワーク下層ＷＬＡＮエンティティに送信すること、
前記ＬＬＣ層エンティティが、アクセスネットワーク下層ＷＬＡＮエンティティにより送信されたシグナリング及びデータのうち少なくとも何れかをデカプセル化した後前記アクセスネットワーク上層エンティティに送信すること、をさらに含む請求項４に記載の方法。
【請求項７】
ＵＥ下層無線ローカルエリアネットワーク（ＷＬＡＮ）エンティティ及びＵＥ上層エンティティを含み、
前記ＵＥ下層ＷＬＡＮエンティティは、前記ＵＥ上層エンティティが送信したシグナリング及びデータのうち少なくとも何れかをＷＬＡＮプロトコルフォーマットにカプセル化して無線インタフェースを介して３ＧＰＰアクセスネットワークに送信し、及び前記無線インタフェースを介して前記３ＧＰＰアクセスネットワークが送信したシグナリング及びデータのうち少なくとも何れかを受信し、デカプセル化した後前記ＵＥ上層エンティティに送信するように設置され、
前記ＵＥ上層エンティティは、前記ＵＥ下層ＷＬＡＮエンティティにシグナリング及びデータのうち少なくとも何れかを送信し、及び前記ＵＥ下層ＷＬＡＮエンティティがデカプセル化した後のシグナリング及びデータのうち少なくとも何れかを受信するように設置され、
前記ＵＥ上層エンティティは、更に、前記ＵＥ下層ＷＬＡＮエンティティ及び前記無線インタフェースを介して前記３ＧＰＰアクセスネットワークと制御プレーン接続及びユーザプレーン接続のうち少なくとも何れかを作成するように設置されるＵＥ。
【請求項８】
前記ＵＥ上層エンティティは、
無線リソース制御（ＲＲＣ）層エンティティ、パケットデータコンバージェンスプロトコル（ＰＤＣＰ）層エンティティ、無線リンク制御（ＲＬＣ）層エンティティ、媒体アクセス制御（ＭＡＣ）層エンティティのうちの１つまたは複数を含む請求項７に記載のＵＥ。
【請求項９】
前記ＵＥ下層ＷＬＡＮエンティティ及び前記ＵＥ上層エンティティの間に位置し、前記ＵＥ下層ＷＬＡＮエンティティと前記ＵＥ上層エンティティとの間に伝送しているシグナリング及びデータのうち少なくとも何れかをカプセル化する又はデカプセル化するように設置されるロジックリンク制御（ＬＬＣ）層エンティティをさらに含む請求項７に記載のＵＥ。
【請求項１０】
アクセスネットワーク下層無線ローカルエリアネットワーク（ＷＬＡＮ）エンティティ及びアクセスネットワーク上層エンティティを含み、そのうち、
前記アクセスネットワーク下層ＷＬＡＮエンティティは、前記アクセスネットワーク上層エンティティが送信したシグナリング及びデータのうち少なくとも何れかをＷＬＡＮプロトコルフォーマットにカプセル化して無線インタフェースを介してユーザ装置（ＵＥ）に送信し、及び前記無線インタフェースを介して前記ＵＥが送信したシグナリング及びデータのうち少なくとも何れかを受信し、デカプセル化した後前記アクセスネットワーク上層エンティティに送信するように設置され、
前記アクセスネットワーク上層エンティティは、前記アクセスネットワーク下層ＷＬＡＮエンティティにシグナリング及びデータのうち少なくとも何れかを送信し、及び前記アクセスネットワーク下層ＷＬＡＮエンティティがデカプセル化した後のシグナリング及びデータのうち少なくとも何れかを受信するように設置され、
前記アクセスネットワーク上層エンティティは、更に、前記アクセスネットワーク下層ＷＬＡＮエンティティ及び前記無線インタフェースを介して前記ＵＥと制御プレーン接続及びユーザプレーン接続のうち少なくとも何れかを作成するように設置されるコンバージェンスネットワークのデータ伝送を実現する３ＧＰＰアクセスネットワーク装置。
【請求項１１】
前記アクセスネットワーク上層エンティティは、
無線リソース制御（ＲＲＣ）層エンティティ、パケットデータコンバージェンスプロトコル（ＰＤＣＰ）層エンティティ、無線リンク制御（ＲＬＣ）層エンティティ、媒体アクセス制御（ＭＡＣ）層エンティティのうちの１つまたは複数を含む請求項１０に記載の３ＧＰＰアクセスネットワーク装置。
【請求項１２】
アクセスネットワーク下層ＷＬＡＮエンティティとアクセスネットワーク上層エンティティとの間に位置し、前記アクセスネットワーク下層ＷＬＡＮエンティティと前記アクセスネットワーク上層エンティティとの間に伝送しているシグナリング及びデータのうち少なくとも何れかをカプセル化する又はデカプセル化するように設置されるロジックリンク制御（ＬＬＣ）層エンティティをさらに含む請求項１０に記載の３ＧＰＰアクセスネットワーク装置。
【発明の詳細な説明】
【技術分野】
【０００１】
本発明はモバイル通信システムに関し、具体的には、コンバージェンスネットワークのデータ伝送を実現する方法、ＵＥ及び３ＧＰＰアクセスネットワーク装置に関する。
【背景技術】
【０００２】
無線通信技術及びプロトコル標準の絶え間ない進化に伴って、移動パケットサービスは驚異的な発展を遂げ、個々の端末のデータスループットは絶えまなく向上している。ロングタームエボリューション（Ｌｏｎｇ  Ｔｅｒｍ  Ｅｖｏｌｕｔｉｏｎ、ＬＴＥと略称する）システムを例とし、２０Ｍ帯域幅内に下りリンクの最大レート１００Ｍｂｐｓのデータ伝送をバックアップすることができ、後続のＬＴＥアドバンスト（ＬＴＥ  Ａｄｖａｎｃｅｄ）システム中において、データの伝送レートは更に向上し、ひいては１Ｇｂｐｓに達することができる。
【０００３】
端末のデータ通信量は爆発的に増大し、既存のネットワークリソースが次第に不足するようになり、特に次世代通信技術（例えば、３Ｇ、ＬＴＥ）がまだ幅広く展開することができない場合、それに付随して、ユーザのレート及びフローのニーズを満たすことができなくなり、ユーザエクスペリエンスは悪くなる。どのようにこの状況を予防、変更するかはオペレータが配慮しなければならない問題であり、一方では、新しい技術の普及及びネットワーク展開を加速する必要があり、他方では、既存のネットワーク及び技術を強化することにより、迅速にネットワーク性能を向上させることが期待されている。周知のように、第３世代パートナーシッププロジェクト（Ｔｈｅ  ３ｒｄ  Ｇｅｎｅｒａｔｉｏｎ  Ｐａｒｔｎｅｒｓｈｉｐ  Ｐｒｏｊｅｃｔ、略称する３ＧＰＰ）が提供するワイアレスネットワーク技術以外にも、現在、広く応用されている無線ローカルエリアネットワーク（Ｗｉｒｅｌｅｓｓ  Ｌｏｃａｌ  Ａｒｅａ  Ｎｅｔｗｏｒｋ、略称するＷＬＡＮ）、特にＩＥＥＥ８０２．１１標準に基づく無線ローカルエリアネットワークは、家庭、企業ひいてはインターネットでホットスポットのカバレッジに幅広く応用されている。そのうち、ＷｉＦｉアライアンス（Ｗｉ−Ｆｉ  Ａｌｌｉａｎｃｅ）が提案した技術仕様の応用は最も広く、実際に、ＷｉＦｉネットワークは、ＩＥＥＥ  ８０２．１１標準に基づくＷＬＡＮネットワークと同一視され、錯綜が起こらない限り、ＷｉＦｉモジュールはすなわちネットワークノード中においてＷＬＡＮをバックアップする無線送受信及び処理モジュールを指す。
【０００４】
１つの前提で、負荷分担及びネットワーク性能を向上させる目的のために、ＷＬＡＮと従来の３ＧＰＰネットワークを統合し、ジョイントトランスミッションを実現することを提案したオペレータ及び会社がある。現在、３ＧＰＰでは、３ＧＰＰネットワークとＷＬＡＮネットワークのインターワーキング（Ｉｎｔｅｒｗｏｒｋｉｎｇ）の関連プロトコルが制定されたが、従来のＩｎｔｅｒｗｏｒｋｉｎｇ構造中には不備が存在する。例えば、端末ユーザ装置（Ｕｓｅｒ  Ｅｑｕｉｐｍｅｎｔ、ＵＥと略称する）が３ＧＰＰネットワークとＷＬＡＮネットワークの間に移動する時、データフローの切り替えは比較的遅く、且つ２つのネットワークのデータフローの切り替え過程中において、大量のデータ損失をもたらし、ユーザエクスペリエンスに影響を与える。さらにもう１つの非常に重要なポイントは、現在のこの構造はオペレータが独立した３ＧＰＰネットワーク及び独立で完全なＷＬＡＮネットワークを有することに依存し、これはオペレータが同時に複数のネットワークをオペレーション、メインテナンスするように要求され、資本支出（Ｃａｐｉｔａｌ  Ｅｘｐｅｎｄｉｔｕｒｅ、ＣＡＰＥＸと略称する）は比較的大きい。さらに該構造下でＷＬＡＮネットワークの選択は完全に端末により決められ、ネットワークオペレータは端末に対する制御を失い、事前のネットワーク計画に応じて全体のリソース割当を行うことができなくなる。更に、Ｉｎｔｅｒｗｏｒｋｉｎｇ構造を利用して、３ＧＰＰとＷＬＡＮのジョイントトランスミッションを実現するには、端末は同時に２セットの送受信機を起動する必要があり、これは端末の電力消費にも大きな影響を与える。
【０００５】
以上のように、従来のＷＬＡＮと３ＧＰＰネットワークの統合には解決する必要がある問題がたくさんあり、更なる統合のニーズもある。
【発明の概要】
【発明が解決しようとする課題】
【０００６】
本発明の実施例はコンバージェンスネットワークのデータ伝送を実現する方法、ＵＥ及びアクセスネットワーク装置を提供し、３ＧＰＰ及びＷＬＡＮネットワークの統合を実現する。
【課題を解決するための手段】
【０００７】
本発明の実施例が提供するコンバージェンスネットワークのデータ伝送を実現する方法は、ユーザ装置（ＵＥ）のＵＥ下層無線ＬＡＮ（ＷＬＡＮ）エンティティが、前記ＵＥのＵＥ上層エンティティにより送信されたシグナリング及びデータのうち少なくとも何れかをＷＬＡＮプロトコルフォーマットにカプセル化し、無線インタフェースを介して３ＧＰＰアクセスネットワークに送信すること、ＵＥ下層ＷＬＡＮエンティティが、無線インタフェースを介して３ＧＰＰアクセスネットワークにより送信されたシグナリング及びデータのうち少なくとも何れかを受信し、デカプセル化した後ＵＥ上層エンティティに送信すること、を含む。好ましくは、前記方法は、ＵＥ上層エンティティはＵＥ下層ＷＬＡＮエンティティ及び無線インタフェースを介して３ＧＰＰアクセスネットワークとともに制御プレーン接続及びユーザプレーン接続のうち少なくとも何れかを作成することをさらに含む。
【０００８】
好ましくは、前記ＵＥ上層エンティティは、無線リソース制御（ＲＲＣ）層エンティティ、パケットデータコンバージェンスプロトコル（ＰＤＣＰ）層エンティティ、無線リンク制御（ＲＬＣ）層エンティティ、媒体アクセス制御（ＭＡＣ）層エンティティのうちの１つまたは複数を含む。
【０００９】
好ましくは、前記ＵＥは、ＵＥ下層ＷＬＡＮエンティティとＵＥ上層エンティティとの間に位置するロジックリンク制御（ＬＬＣ）層エンティティをさらに含み、前記方法は、ＬＬＣ層エンティティがＵＥ上層エンティティにより送信されたシグナリング及びデータのうち少なくとも何れかをカプセル化した後ＵＥ下層ＷＬＡＮエンティティに送信し、ＵＥ下層ＷＬＡＮエンティティにより送信されたシグナリング及びデータのうち少なくとも何れかをデカプセル化した後ＵＥ上層エンティティに送信することをさらに含む。
【００１０】
本発明は、別のコンバージェンスネットワークのデータ伝送を実現する方法を更に提供しており、アクセスネットワーク装置のアクセスネットワーク下層無線ＬＡＮ（ＷＬＡＮ）エンティティが、前記アクセスネットワーク装置のアクセスネットワーク上層エンティティにより送信されたシグナリング及びデータのうち少なくとも何れかをＷＬＡＮプロトコルフォーマットにカプセル化し、無線インタフェースを介してユーザ装置（ＵＥ）に送信すること、アクセスネットワーク下層ＷＬＡＮエンティティが、無線インタフェースを介してＵＥにより送信されたシグナリング及びデータのうち少なくとも何れかを受信し、デカプセル化した後アクセスネットワーク上層エンティティに送信することを含む。
【００１１】
好ましくは、前記方法は、アクセスネットワーク上層エンティティは前記アクセスネットワーク下層ＷＬＡＮエンティティ及び無線インタフェースを介してＵＥとともに制御プレーン接続及びユーザプレーン接続のうち少なくとも何れかを作成することをさらに含む。
【００１２】
好ましくは、前記アクセスネットワーク上層エンティティは、無線リソース制御（ＲＲＣ）層エンティティ、パケットデータコンバージェンスプロトコル（ＰＤＣＰ）層エンティティ、無線リンク制御（ＲＬＣ）層エンティティ、媒体アクセス制御（ＭＡＣ）層エンティティのうちの１つまたは複数を含む。
【００１３】
好ましくは、前記３ＧＰＰアクセスネットワーク装置は、アクセスネットワーク下層ＷＬＡＮエンティティとアクセスネットワーク上層エンティティとの間に位置するロジックリンク制御（ＬＬＣ）層エンティティを更に含み、前記方法は、ＬＬＣ層エンティティが、アクセスネットワーク上層エンティティにより送信されたシグナリング及びデータのうち少なくとも何れかをカプセル化した後アクセスネットワーク下層ＷＬＡＮエンティティに送信すること、アクセスネットワーク下層ＷＬＡＮエンティティにより送信されたシグナリング及びデータのうち少なくとも何れかをデカプセル化した後アクセスネットワーク上層エンティティに送信することをさらに含む。
【００１４】
本発明の実施例は、コンバージェンスネットワークのデータ伝送を実現するユーザ装置（ＵＥ）を更に提供しており、ＵＥ下層無線ＬＡＮ（ＷＬＡＮ）エンティティ及びＵＥ上層エンティティを含み、そのうち、前記ＵＥ下層ＷＬＡＮエンティティは、ＵＥ上層エンティティが送信したシグナリング及びデータのうち少なくとも何れかをＷＬＡＮプロトコルフォーマットにカプセル化し、無線インタフェースを介して３ＧＰＰアクセスネットワークに送信し、及び無線インタフェースを介して３ＧＰＰアクセスネットワークが送信したシグナリング及びデータのうち少なくとも何れかを受信し、デカプセル化した後ＵＥ上層エンティティに送信するように設置され、前記ＵＥ上層エンティティは、前記ＵＥ下層ＷＬＡＮエンティティにシグナリング及びデータのうち少なくとも何れかを送信し、及びＵＥ下層ＷＬＡＮエンティティがデカプセル化した後のシグナリング及びデータのうち少なくとも何れかを受信するように設置される。
【００１５】
好ましくは、前記ＵＥ上層エンティティは、前記ＵＥ下層ＷＬＡＮエンティティ及び無線インタフェースを介して３ＧＰＰアクセスネットワークとともに制御プレーン接続及びユーザプレーン接続のうち少なくとも何れかを作成するように更に設置される。
【００１６】
好ましくは、前記ＵＥ上層エンティティは、無線リソース制御（ＲＲＣ）層エンティティ、パケットデータコンバージェンスプロトコル（ＰＤＣＰ）層エンティティ、無線リンク制御（ＲＬＣ）層エンティティ、媒体アクセス制御（ＭＡＣ）層エンティティのうちの１つまたは複数を含む。
【００１７】
好ましくは、前記ＵＥは、ＵＥ下層ＷＬＡＮエンティティとＵＥ上層エンティティとの間に位置し、ＵＥ下層ＷＬＡＮエンティティとＵＥ上層エンティティとの間に伝送しているシグナリング及びデータのうち少なくとも何れかをカプセル化するまたはデカプセル化するように設置されるロジックリンク制御（ＬＬＣ）層エンティティをさらに含む。
【００１８】
本発明の実施例は、コンバージェンスネットワークのデータ伝送を実現する３ＧＰＰアクセスネットワーク装置を更に提供しており、アクセスネットワーク下層無線ＬＡＮ（ＷＬＡＮ）エンティティ及びアクセスネットワーク上層エンティティを含み、そのうち、前記アクセスネットワーク下層下ＷＬＡＮエンティティは、アクセスネットワーク上層エンティティが送信したシグナリング及びデータのうち少なくとも何れかをＷＬＡＮプロトコルフォーマットにカプセル化し、無線インタフェースを介してユーザ装置（ＵＥ）に送信し、及び無線インタフェースを介してＵＥが送信したシグナリング及びデータのうち少なくとも何れかを受信し、デカプセル化した後アクセスネットワーク上層エンティティに送信することに用いられるように設置され、前記アクセスネットワーク上層エンティティは、前記アクセスネットワーク下層ＷＬＡＮエンティティにシグナリング及びデータのうち少なくとも何れかを送信し、及び前記アクセスネットワーク下層ＷＬＡＮエンティティがデカプセル化した後のシグナリング及びデータのうち少なくとも何れかを受信するように設置される。
【００１９】
好ましくは、前記アクセスネットワーク上層エンティティは、前記アクセスネットワーク下層ＷＬＡＮエンティティ及び無線インタフェースを介してＵＥとともに制御プレーン接続及びユーザプレーン接続のうち少なくとも何れかを作成するように更に設置される。
【００２０】
好ましくは、前記アクセスネットワーク上層エンティティは、無線リソース制御（ＲＲＣ）層エンティティ、パケットデータコンバージェンスプロトコル（ＰＤＣＰ）層エンティティ、無線リンク制御（ＲＬＣ）層エンティティ、媒体アクセス制御（ＭＡＣ）層エンティティのうちの１つまたは複数を含む。
【００２１】
好ましくは、前記３ＧＰＰアクセスネットワーク装置は、アクセスネットワーク下層ＷＬＡＮエンティティとアクセスネットワーク上層エンティティとの間に位置し、アクセスネットワーク下層ＷＬＡＮエンティティとアクセスネットワーク上層エンティティとの間に伝送しているシグナリング及びデータのうち少なくとも何れかをカプセル化するまたはデカプセル化するように設置されるロジックリンク制御（ＬＬＣ）層エンティティをさらに含む。
【発明の効果】
【００２２】
本発明の実施例による方法及び装置は、下記利点を有する。
【００２３】
１．端末ユーザ装置が移動する時、アクセスされるデータゲートウェイは変化せず、移動性はアクセスネットワークの変更（例えば、正常ｅＮＢからＷｉＦｉをバックアップするｅＮＢへ）のみにかかわり、従ってデータフローの切り替えは比較的速く、同時に従来のデータ送出（Ｄａｔａ  Ｆｏｒｗａｒｄｉｎｇ）方法を利用してもデータ損失の発生を避けることもできる。
【００２４】
２．オペレータは、完全なＷＬＡＮネットワークを展開またはメインテナンスする必要がなく、該解決手段は、コアネットワーク及び地上側インタフェース（すなわちＳ１／Ｉｕインタフェース）に対していかなる修正も行わず、ＷＬＡＮアクセス機能をバックアップするネットワークノードを増加するだけでよく、従って修正はアクセスネットワークのネットワークエレメントノードのアップグレードまたは展開のみにかかわり、従って営業費用はこれに対応して減少する。
【００２５】
３．３ＧＰＰネットワークは、依然として既存のフローによりユーザ装置の、ネットワーク選択及び移動性等を含む行為を制御することができ、従ってオペレータは、常時、端末への制御を保持することができる。
【００２６】
４．ＵＥは１つの送受信機（ＷｉＦｉ方式）のみによりネットワークにアクセスし、２セットの送受信機を必要とせず、従って付加的な電力消費がない。
【００２７】
５．該コンバージェンスシステムにより、無線インタフェースは、３ＧＰＰ帯域の代わりに、無償のＷＬＡＮ帯域を用い、オペレータに対して多くの営業費用を節約する。
【図面の簡単な説明】
【００２８】
【図１】コンバージェンスシステム模式図である。
【図２】コンバージェンスシステム中におけるＵＥ及び３ＧＰＰアクセスネットワーク装置の構造模式図である。
【図３】コンバージェンスシステム中における無線インタフェース制御プレーンのプロトコルスタックの模式図である
【図４】コンバージェンスシステム中における無線インタフェースユーザプレーンプロトコルスタックの模式図である。
【図５】コンバージェンスシステム中における地上インタフェース制御プレーンプロトコルスタックの模式図である。
【図６】コンバージェンスシステム中における地上インターフェースユーザプレーンプロトコルスタックの模式図である。
【図７】ＵＥが実行する伝送処理のフローチャートである。
【図８】３ＧＰＰアクセスネットワークが実行する伝送処理のフローチャートである。
【図９】応用例１のシステムの模式図である
【図１０】応用例１の無線インタフェース制御プレーンプロトコルスタックの模式図である。
【図１１】応用例１の無線インタフェースユーザプレーンプロトコルスタックの模式図である。
【図１２】応用例２のシステムの模式図である。
【図１３】応用例２の無線インタフェース制御プレーンプロトコルスタックの模式図である。
【図１４】応用例２の無線インタフェースユーザプレーンプロトコルスタックの模式図である。
【図１５】応用例３のシステムの模式図である。
【図１６】応用例３の無線インタフェース制御プレーンプロトコルスタックの模式図である。
【図１７】応用例３の無線インタフェースユーザプレーンプロトコルスタックの模式図である。
【発明を実施するための形態】
【００２９】
以下、図面を参照しながら本発明の実施例を詳細に説明する。ただし、特段の技術的制約がない限り、本願における実施例及び実施例における特徴は互いに任意に組み合せることができる。
実施例１
本実施例は、図１に示すシステムを提供し、３ＧＰＰコアネットワーク、３ＧＰＰアクセスネットワーク、ユーザ装置（ＵＥ）を含み、そのうちＵＥは、ＷｉＦｉモジュール（またはＷＬＡＮモジュールまたはＷＬＡＮエンティティと称する）により３ＧＰＰアクセスネットワークにアクセスし、３ＧＰＰアクセスネットワークとともにＷｉＦｉ伝送に基づく無線接続を作成し、且つ該３ＧＰＰアクセスネットワークにより３ＧＰＰコアネットワークにアクセスする。つまり、本明細書におけるＵＥ及び３ＧＰＰアクセスネットワークは、いずれもＷＬＡＮのアクセスをバックアップし、ＷｉＦｉモジュールを利用してデータ送受信を行うことをバックアップすることができる。
【００３０】
以下、それぞれコンバージェンスネットワークデータ伝送を実現するＵＥ及び３ＧＰＰアクセスネットワーク装置を説明する。
【００３１】
図２に示すように、本実施例のＵＥは、ＵＥ下層ＷＬＡＮエンティティ及びＵＥ上層エンティティを含む。そのうち、該ＵＥ下層ＷＬＡＮエンティティは、ＵＥ上層エンティティが送信したシグナリング及びデータのうち少なくとも何れかを、ＷＬＡＮプロトコルフォーマットにカプセル化し、無線インタフェースを介して３ＧＰＰアクセスネットワーク装置に送信し、及び無線インタフェースを介して３ＧＰＰアクセスネットワーク装置が送信したシグナリング及びデータのうち少なくとも何れかを受信し、デカプセル化した後ＵＥ上層エンティティに送信することに用いられるように設置される。該ＵＥ上層エンティティは、ＵＥ下層ＷＬＡＮエンティティにシグナリング及びデータのうち少なくとも何れかを送信し、及びＵＥ下層ＷＬＡＮエンティティがデカプセル化した後のシグナリング及びデータのうち少なくとも何れかを受信することに用いられるように設置される。
【００３２】
好ましくは、該ＵＥ上層エンティティは、該ＵＥ下層ＷＬＡＮエンティティ及び無線インタフェースを介して３ＧＰＰアクセスネットワークとともに制御プレーン接続及びユーザプレーン接続のうち少なくとも何れかを作成するように更に設置される。
【００３３】
上記ＵＥ上層エンティティは、無線リソース制御（ＲＲＣ）層エンティティ、パケットデータコンバージェンスプロトコル（ＰＤＣＰ）層エンティティ、無線リンク制御（ＲＬＣ）層エンティティ、媒体アクセス制御（ＭＡＣ）層エンティティのうちの１つまたは複数を含む。
【００３４】
上記ＵＥ下層ＷＬＡＮエンティティは、ＷＬＡＮ媒体アクセス制御（ＭＡＣ）エンティティ及びＷＬＡＮ物理層（Ｐｈｙｓｉｃａｌ  Ｌａｙｅｒ、ＰＨＹと略称する）エンティティを含む。
【００３５】
好ましくは、ＵＥ下層ＷＬＡＮエンティティとＵＥ上層エンティティとの間に、ＵＥ下層ＷＬＡＮエンティティとＵＥ上層エンティティとの間で伝送しているシグナリング及びデータのうち少なくとも何れかを、カプセル化するまたはデカプセル化するロジックリンク制御（Ｌｏｇｉｃ  Ｌｉｎｋ  Ｃｏｎｔｒｏｌ、略称するＬＬＣ）層エンティティを更に含んでもよい。
【００３６】
図２に示すように、本実施例の３ＧＰＰアクセスネットワーク装置は、アクセスネットワーク下層ＷＬＡＮエンティティ及びアクセスネットワーク上層エンティティを含む。そのうち、該アクセスネットワーク下層ＷＬＡＮエンティティは、アクセスネットワーク上層エンティティが送信したシグナリング及びデータのうち少なくとも何れかを、ＷＬＡＮプロトコルフォーマットにカプセル化し、無線インタフェースを介してＵＥに送信し、及び無線インタフェースを介してＵＥが送信したシグナリング及びデータのうち少なくとも何れかを受信し、デカプセル化した後アクセスネットワーク上層エンティティに送信することに用いられるように設置される。該アクセスネットワーク上層エンティティは、アクセスネットワーク下層ＷＬＡＮエンティティにシグナリング及びデータのうち少なくとも何れかを送信し、及びアクセスネットワーク下層ＷＬＡＮエンティティがデカプセル化した後のシグナリング及びデータのうち少なくとも何れかを受信することに用いられるように設置される。
【００３７】
好ましくは、該アクセスネットワーク上層エンティティは、アクセスネットワーク下層ＷＬＡＮエンティティ及び無線インタフェースを介してＵＥとともに制御プレーン接続及びユーザプレーン接続のうち少なくとも何れかを作成するように更に設置される。
【００３８】
上記アクセスネットワーク上層エンティティは、無線リソース制御（ＲＲＣ）層エンティティ、パケットデータコンバージェンスプロトコル（ＰＤＣＰ）層エンティティ、無線リンク制御（ＲＬＣ）層エンティティ、媒体アクセス制御（ＭＡＣ）層エンティティのうちの１つまたは複数を含む。ＵＥ上層エンティティ及びアクセスネットワーク上層エンティティに含まれるエンティティは一対一である。
【００３９】
上記アクセスネットワーク下層ＷＬＡＮエンティティは、ＷＬＡＮ  ＭＡＣエンティティ及びＷＬＡＮ  ＰＨＹエンティティを含む。
【００４０】
好ましくは、アクセスネットワーク下層ＷＬＡＮエンティティとアクセスネットワーク上層エンティティとの間には、アクセスネットワーク下層ＷＬＡＮエンティティとアクセスネットワーク上層エンティティとの間で伝送しているシグナリング及びデータのうち少なくとも何れかを、カプセル化するまたはデカプセル化するように設置されるロジックリンク制御（ＬＬＣ）層エンティティを更に含んでもよい。該ＬＬＣ層エンティティを設置すると、ＵＥ及び３ＧＰＰアクセスネットワーク装置を同時に設置する必要がある。
【００４１】
該３ＧＰＰアクセスネットワーク装置は、ＬＴＥシステム下において発展型基地局（Ｅｖｏｌｖｅｄ  Ｎｏｄｅ  Ｂ、ｅＮＢ）、発展型小型基地局（Ｈｏｍｅ  ｅＮＢ、ＨｅＮＢ）、又は無線中継（Ｒｅｌａｙ  Ｎｏｄｅ）等を含み、ＵＭＴＳシステム下において無線ネットワークコントローラ（Ｒａｄｉｏ  Ｎｅｔｗｏｒｋ  Ｃｏｎｔｒｏｌｌｅｒ、ＲＮＣ）及び基地局（ＮｏｄｅＢ）等を含む。
【００４２】
ＵＥ上層エンティティ及びアクセスネットワーク上層エンティティが、それぞれＲＲＣ層エンティティ、ＰＤＣＰ層エンティティ、ＲＬＣ層エンティティ及びＭＡＣ層エンティティを含むことを例とし、図３及び図４に示すように、ＵＥと３ＧＰＰアクセスネットワーク装置との間の無線インタフェースは、ＷｉＦｉモジュールに基づいてデータ送受信を行う。すなわち下層エンティティは、８０２．１１（ＭＡＣ及びＰＨＹ）プロトコルエンティティからなる。このプロトコルエンティティの上に、ＵＥと３ＧＰＰアクセスネットワーク装置との間は、３ＧＰＰ無線インタフェースプロトコル（３ＧＰＰ層２及び層３プロトコル層のうち少なくとも何れかを含む）に基づいてピアツーピアプロトコル層接続を作成し、制御プレーン接続及びユーザプレーン接続を含む。ＵＥと３ＧＰＰアクセスネットワークとの間に作成したＷｉＦｉ伝送に基づく無線接続制御プレーン及びユーザプレーンプロトコルスタックは、それぞれ図３及び図４に示される。そのうち、制御プレーンプロトコルスタックは、３ＧＰＰ  ＲＲＣ、ＰＤＣＰ、ＲＬＣ、ＭＡＣ層とＷＬＡＮ  ＭＡＣ及びＰＨＹ層とからなる。ユーザプレーンプロトコルスタックは、３ＧＰＰ  ＰＤＣＰ、ＲＬＣ、ＭＡＣ層とＷＬＡＮ  ＭＡＣ及びＰＨＹ層とからなる。好ましくは、制御プレーンプロトコルスタック及びユーザプレーンプロトコルスタック中において、ＷＬＡＮ  ＭＡＣ層と３ＧＰＰプロトコル層の間にデータをカプセル化またはデカプセル化処理する１つのＬＬＣ層を更に増加してもよい。
【００４３】
制御プレーンプロトコルスタックにおいて、上層３ＧＰＰプロトコルエンティティ中の各プロトコルエンティティ機能は、従来の３ＧＰＰネットワーク中に対応するプロトコル層機能と一致する。しかし、一部の機能を簡略化することができ、例えば、ＲＲＣ層エンティティの放送ページング機能を省略して用いなくてもよく、この他、ＰＤＣＰ層エンティティ、ＲＬＣ層エンティティ、ＭＡＣ層エンティティのうちの１つまたは複数のプロトコル層エンティティも省略して用いなくてもよい。ただし、省略して用いない場合には、ＵＥとアクセスネットワーク装置とのいずれにおいても、省略して用いないようにする必要がある。
【００４４】
ユーザプレーンプロトコルスタックにおいて、上層３ＧＰＰプロトコルエンティティ中の各プロトコルエンティティ機能も簡略化してよく、例えば、ＲＬＣ層エンティティのフラグメントカスケード機能を省略してもよく、この他、ＭＡＣ層エンティティ、ＲＬＣ層エンティティ等のうちの１つまたは複数のプロトコル層エンティティも省略して用いなくてもよい。ただし、省略して用いない場合には、ＵＥとアクセスネットワーク装置とのいずれにおいても、省略して用いないようにする必要がある。
【００４５】
３ＧＰＰアクセスネットワークと３ＧＰＰコアネットワークとの間のインターフェースプロトコルは、従来のインターフェースプロトコルと同じである。例えば、ＬＴＥシステム中においてはＳ１インタフェースプロトコルスタックであり、制御プレーンプロトコル層は図５に示され、ユーザプレーンプロトコル層は図６に示され、ＵＭＴＳシステム中においてはＩｕプロトコル等であり、本明細書には繰り返して説明しない。
【００４６】
上記システムに基づいて、ＵＥ及びネットワーク側は、制御プレーン上層に依然として正常の３ＧＰＰアクセス層（Ａｃｃｅｓｓ  Ｓｔｒａｔｕｍ、ＡＳと略称する）（すなわち３ＧＰＰ  ＲＲＣプロトコル）及び３ＧＰＰ非アクセス層（ＮＡＳ）プロトコルを用いる。従ってＵＥとネットワーク側のアクセス、安全認証、登録／ログオフ、追跡領域更新等の過程はいずれも従来のプロトコルと同じである。最大限、プロトコルの互換性を保証する。
【００４７】
実施例２
本実施例は、コンバージェンスネットワークを実現するデータ伝送方法においてユーザ装置が実行する処理及びアクセスネットワーク装置が実行する処理を実現する。
【００４８】
ユーザ装置（ＵＥ）が実行する処理は、図７に示すように、ＵＥ下層ＷＬＡＮエンティティにより、ＵＥ上層エンティティが送信したシグナリング及びデータのうち少なくとも何れかを、ＷＬＡＮプロトコルフォーマットにカプセル化して無線インタフェースを介して３ＧＰＰアクセスネットワークに送信するステップ１０と、ＵＥ下層ＷＬＡＮエンティティにより、無線インタフェースを介して３ＧＰＰアクセスネットワークが送信したシグナリング及びデータのうち少なくとも何れかを受信し、デカプセル化した後ＵＥ上層エンティティに送信するステップ１１とを含む。
【００４９】
上記方法では、ＵＥ上層エンティティは、ＵＥ下層ＷＬＡＮエンティティ及び無線インタフェースを介して３ＧＰＰアクセスネットワークとともに制御プレーン接続及びユーザプレーン接続のうち少なくとも何れかを作成することをさらに含む。
【００５０】
ＵＥが、ＵＥ下層ＷＬＡＮエンティティとＵＥ上層エンティティとの間に位置するＬＬＣ層エンティティをさらに含む時、上記方法は、ＬＬＣ層エンティティにより、ＵＥ上層エンティティが送信したシグナリング及びデータのうち少なくとも何れかをカプセル化した後ＵＥ下層ＷＬＡＮエンティティに送信すること、ＵＥ下層ＷＬＡＮエンティティが送信したシグナリング及びデータのうち少なくとも何れかを、デカプセル化した後ＵＥ上層エンティティに送信することをさらに含む。
【００５１】
アクセスネットワーク装置が実行する処理は、図８に示すように、アクセスネットワーク下層ＷＬＡＮエンティティにより、アクセスネットワーク上層エンティティが送信したシグナリング及びデータのうち少なくとも何れかをＷＬＡＮプロトコルフォーマットにカプセル化し、無線インタフェースを介してＵＥに送信するステップ２０と、アクセスネットワーク下層ＷＬＡＮエンティティにより、無線インタフェースを介してＵＥが送信したシグナリング及びデータのうち少なくとも何れかを受信し、デカプセル化した後アクセスネットワーク上層エンティティに送信するステップ２１とを含む。
【００５２】
好ましくは、上記方法は、アクセスネットワーク上層エンティティが、該アクセスネットワーク下層ＷＬＡＮエンティティ及び無線インタフェースを介してＵＥとともに制御プレーン接続及びユーザプレーン接続のうち少なくとも何れかを作成することをさらに含む。
【００５３】
３ＧＰＰアクセスネットワーク装置が、アクセスネットワーク下層ＷＬＡＮエンティティとアクセスネットワーク上層エンティティとの間に位置するＬＬＣ層エンティティをさらに含む時、上記方法は、ＬＬＣ層エンティティにより、アクセスネットワーク上層エンティティが送信したシグナリング及びデータのうち少なくとも何れかを、カプセル化した後アクセスネットワーク下層ＷＬＡＮエンティティに送信すること、アクセスネットワーク下層ＷＬＡＮエンティティが送信したシグナリング及びデータのうち少なくとも何れかを、デカプセル化した後アクセスネットワーク上層エンティティに送信することをさらに含む。
【００５４】
以下、異なる応用例を参照しながら上記実施例の解決手段を更に説明する。
応用例１
図９に示すように、本例は、ＬＴＥとＷＬＡＮの統合を例とし、アクセスネットワークのネットワークエレメントは、ＷＬＡＮアクセスをバックアップするｅＮＢであり、以下のように説明する。
【００５５】
ＷＬＡＮアクセスをバックアップするＵＥは、下層ＷＬＡＮ無線インタフェース伝送メカニズムを介してＷＬＡＮアクセスをバックアップするアクセスネットワークｅＮＢにアクセスし、且つ最終的にコアネットワークのネットワークエレメントＭＭＥ、Ｓ／Ｐ−ＧＷ（Ｓ−ＧＷ及びＰ−ＧＷ）とそれぞれ制御プレーン及びユーザプレーン接続を作成する。
【００５６】
ＵＥとネットワーク側との間の制御プレーンインターフェースプロトコルスタックは、図１０に示すように、ＵＥとｅＮＢとの間では、下位層ＷＬＡＮ  ＰＨＹ及びＷＬＡＮ  ＭＡＣ層エンティティの上にある、ＬＴＥ  ＲＲＣ層エンティティ及びＬＴＥ  ＰＤＣＰ層エンティティにより処理される。ＵＥとｅＮＢとの間のＲＲＣシグナリングは、ＬＴＥ  ＰＤＣＰ層エンティティにより処理（該処理はヘッダー圧縮、暗号化等を含んでもよい）された後、ＷＬＡＮ層エンティティにより相手端に伝達され、相手端ＬＴＥ  ＰＤＣＰ層エンティティにより逆方向処理（例えば、復号化、ヘッダー圧縮解除等）され、次に最終的にＬＴＥ  ＲＲＣシグナリングが得られる。ＬＴＥ  ＰＤＣＰ層エンティティを省略してもよく、すなわちＬＴＥ  ＲＲＣ層データを直接的にＷＬＡＮ層エンティティに送信し、ＬＴＥ  ＰＤＣＰ層エンティティとＷＬＡＮ  ＭＡＣ層エンティティとの間にＬＴＥ  ＲＬＣ層エンティティ及びＬＴＥ  ＭＡＣ層エンティティのうち少なくとも何れかの処理を更に増加してもよい。好ましくは、ＬＴＥ層エンティティとＷＬＡＮ  ＭＡＣ層エンティティとの間に更にＬＬＣ層エンティティを導入してプロトコルデータアダプタ（カプセル化処理、デカプセル化処理を含む）を行ってもよい。
【００５７】
ｅＮＢとＭＭＥとの間では、インターフェースプロトコルは、従来のＳ１制御プレーンインターフェースプロトコルと一致する。ＵＥとＭＭＥとの間では、依然としてＬＴＥ  ＮＡＳ層プロトコルを用いて処理し、従来のＮＡＳ機能と一致する。ここでは繰り返して説明しない。
【００５８】
ＵＥとネットワーク側との間のユーザプレーンインターフェースプロトコルスタックは、図１１に示すように、ＵＥとｅＮＢとの間では、下位層ＷＬＡＮ  ＰＨＹ及びＷＬＡＮ  ＭＡＣ層エンティティの上にある、ＬＴＥ  ＰＤＣＰ層エンティティにより処理される。ＵＥとｅＮＢとの間のユーザデータ（すなわちＩＰデータ）は、ＬＴＥ  ＰＤＣＰ層エンティティにより処理（該処理はヘッダー圧縮、暗号化等を含んでもよい）された後、ＷＬＡＮ層エンティティにより相手端に伝達され、相手端ＬＴＥ  ＰＤＣＰ層エンティティにより逆方向処理（例えば、復号化、ヘッダー圧縮解除等）され、次に最終的にユーザデータが得られる。ＬＴＥ  ＰＤＣＰ層エンティティを省略してもよく、すなわちユーザデータを直接的にＷＬＡＮ層エンティティに送信し、ＬＴＥ  ＰＤＣＰ層エンティティとＷＬＡＮ  ＭＡＣ層エンティティとの間にＬＴＥ  ＲＬＣ層エンティティ及びＬＴＥ  ＭＡＣ層エンティティのうち少なくとも何れかの処理を更に増加してもよい。好ましくは、ＬＴＥ層エンティティとＷＬＡＮ  ＭＡＣ層エンティティとの間にＬＬＣ層エンティティを更に導入してプロトコルデータアダプタを行うことができる。
【００５９】
ｅＮＢとＳ／Ｐ−ＧＷとの間のインターフェースプロトコルは、従来のＳ１制御プレーンインターフェースプロトコルと一致し、ここでは繰り返して説明しない。
応用例２
図１２に示すように、本例は、ＬＴＥとＷＬＡＮとの統合を例とし、アクセスネットワークのネットワークエレメントは、ホストｅＮＢ（ＤｅＮＢ）及びＷＬＡＮアクセスをバックアップする中継ノード（ＲＮ）であり、以下のように説明する。
【００６０】
ＷＬＡＮアクセスをバックアップするＵＥは、下層ＷＬＡＮ無線インタフェース伝送メカニズムを介してＷＬＡＮアクセスをバックアップするアクセスネットワークＲＮにアクセスし、ＲＮのバックホールリンク（すなわちＵｎインタフェース）によりＤｅＮＢにアクセスし、且つ最終的にコアネットワークのネットワークエレメントＭＭＥ、Ｓ／Ｐ−ＧＷとそれぞれ制御プレーン及びユーザプレーン接続を作成する。
【００６１】
ＵＥとネットワーク側との間の制御プレーンインターフェースプロトコルスタックは、図１３に示すように、ＵＥとＲＮとの間では、下位層ＷＬＡＮ  ＰＨＹ及びＷＬＡＮ  ＭＡＣ層エンティティの上にある、ＬＴＥ  ＲＲＣ層エンティティ及びＬＴＥ  ＰＤＣＰ層エンティティにより処理される。ＵＥとＲＮとの間のＲＲＣシグナリングは、ＬＴＥ  ＰＤＣＰ層エンティティ、ＲＬＣ層エンティティ、ＭＡＣ層エンティティのうちの１種または複数種により処理される。そのうちＰＤＣＰ層エンティティ処理はヘッダー圧縮、暗号化、完全性保護等を含んでもよく、ＲＬＣ層エンティティ処理はフラグメント再構成等を含んでもよく、ＭＡＣ層エンティティ処理は多重化及びリソーススケジューリング等を含んでもよい。上層エンティティにより処理された後、ＷＬＡＮ層エンティティにより相手端に伝達され、相手端関連ＬＴＥエンティティにより逆方向処理され、ＭＡＣ層エンティティ、ＲＬＣ層エンティティ、ＰＤＣＰ層エンティティのうちの１種または複数種（相手端とアダプタする必要がある）を含む。次に最終的にＬＴＥ  ＲＲＣシグナリングが得られる。ＬＴＥ  ＰＤＣＰ層エンティティ、ＲＬＣ層エンティティ、ＭＡＣ層エンティティのうちの１種又は複数種は、具体的な実現に応じて省略されてもよい。好ましくは、ＬＴＥプロトコル層とＷＬＡＮ  ＭＡＣ層プロトコルとの間に更にＬＬＣ層を導入してプロトコルデータアダプタを行ってもよい。
【００６２】
ＲＮとＤｅＮＢとの間では、正常のＵｎインターフェースプロトコルを用いてＵＥデータを伝達する。ＤｅＮＢとＭＭＥとの間では、インターフェースプロトコルは、従来のＳ１制御プレーンインターフェースプロトコルと一致する。ＵＥとＭＭＥとの間では、依然としてＬＴＥ  ＮＡＳ層プロトコルを用いて処理し、従来のＮＡＳ機能と一致する。ここでは繰り返して説明しない。
【００６３】
ＵＥとネットワーク側との間のユーザプレーンインターフェースプロトコルスタックは、図１４に示すように、ＵＥとＲＮとの間では、下位層ＷＬＡＮ  ＰＨＹ及びＷＬＡＮ  ＭＡＣ層エンティティの上にある、ＬＴＥ  ＰＤＣＰ層エンティティ、ＲＬＣ層エンティティ、ＭＡＣ層エンティティのうちの１種又は複数種により処理される。ＵＥとｅＮＢとの間のユーザデータ（すなわちＩＰデータ）は、ＬＴＥ  ＰＤＣＰ層エンティティ、ＲＬＣ層エンティティ、ＭＡＣ層エンティティのうちの１種又は複数種により処理される。そのうちＰＤＣＰ層エンティティ処理ヘッダー圧縮、暗号化等を含んでもよく、ＲＬＣ層エンティティ処理はフラグメント再構成等を含んでもよく、ＭＡＣ層エンティティ処理は多重化及びリソーススケジューリング等を含んでもよい。上層エンティティにより処理された後、下層ＷＬＡＮ層エンティティにより相手端に伝達され、相手端の相応の上層エンティティによりピアツーピア逆方向処理され、次に最終的にユーザデータが得られる。ＬＴＥ  ＰＤＣＰ層エンティティ、ＲＬＣ層エンティティ、ＭＡＣ層エンティティのうちの１種又は複数種は、具体的な実現に応じて省略されてもよい。好ましくは、ＬＴＥプロトコル層とＷＬＡＮ  ＭＡＣ層プロトコルとの間に更にＬＬＣ層を導入してプロトコルデータアダプタを行ってもよい。
【００６４】
ＲＮとＤｅＮＢとの間では、正常のＵｎインターフェースプロトコルを用いてＵＥデータを伝達する。ＤｅＮＢとＳ／Ｐ−ＧＷとの間のインターフェースプロトコルは、従来のＳ１制御プレーンインターフェースプロトコルと一致する。ここでは繰り返して説明しない。ただし、上記コンバージェンス（統合）方式は同様にＵＭＴＳ、ＧＳＭ（登録商標）等の他の３ＧＰＰネットワークとＷＬＡＮの統合に適用できる。
応用例３
図１５に示すように、本例は、ＵＭＴＳとＷＬＡＮの統合を例とし、アクセスネットワークのネットワークエレメントは、ＲＮＣ及びＷＬＡＮアクセスをバックアップするＮｏｄｅＢであり、以下のように説明する。
【００６５】
ＷＬＡＮアクセスをバックアップするＵＥは、下層ＷＬＡＮ無線インタフェース伝送メカニズムを介してバックアップＷＬＡＮのＮｏｄｅＢにアクセスし、且つＲＮＣにより最終的にコアネットワークとそれぞれ制御プレーン及びユーザプレーン接続を作成する。
【００６６】
ＵＥとネットワーク側との間の制御プレーンインターフェースプロトコルスタックは、図１６に示すように、ＵＥとアクセスネットワークとの間では、下位層ＷＬＡＮ  ＰＨＹ及びＷＬＡＮ  ＭＡＣ層エンティティの上にある、ＬＴＥ  ＲＲＣ層エンティティにより制御プレーンシグナリングインタラクションが行われる。ＵＥとＲＮＣとの間のＲＲＣシグナリングは、ＮｏｄｅＢ側のＬＬＣ層エンティティにより処理（該処理はヘッダー圧縮、暗号化等を含んでもよい）された後、ＷＬＡＮ層エンティティにより相手端に伝達される。ＬＬＣ層エンティティを省略してもよく、すなわちＲＲＣ層データを直接にＷＬＡＮ層エンティティに送信し、ＵＥとＲＮＣとの間のＲＲＣ層エンティティの下で更にＬＴＥ  ＲＬＣ層エンティティ及びＬＴＥ  ＭＡＣ層エンティティのうち少なくとも何れかを用いてシグナリングをカプセル化処理してもよく、各プロトコル層処理機能は従来のプロトコルと類似し、繰り返して説明しない。
【００６７】
ＲＮＣとＳＧＳとＮの間では、インターフェースプロトコルは、従来のＩｕ制御プレーンインターフェースプロトコルと一致する。ＵＥとＳＧＳとＮの間では、依然としてＮＡＳ層プロトコルを用いて処理し、従来のＮＡＳ機能と一致する。ここでは繰り返して説明しない。
【００６８】
ＵＥとネットワーク側との間のユーザプレーンインターフェースプロトコルスタックは、図１７に示すように、ＵＥとアクセスネットワークとの間のユーザデータが、ＲＮＣによりＮｏｄｅＢに伝達された後、ＮｏｄｅＢによりＬＬＣプロトコルに従って更なるカプセル化処理が行われ、次にＷｉＦｉモジュールのＷＬＡＮ層エンティティにより相手端に伝達される。ＬＬＣ層エンティティを省略してもよく、すなわちユーザデータを直接的にＷＬＡＮ層エンティティに送信し、ＵＥとＲＮＣとの間のユーザプレーンデータを更にカプセル化処理してもよく、例えば、ＵＭＴＳ  ＰＤＣＰ層エンティティ、ＲＬＣ層エンティティ、ＭＡＣ層エンティティのうちの１種又は複数種を増加して処理を行い、次に最終のプロトコルデータパケットをＷｉＦｉモジュールにより送信してもよい。
【００６９】
ｅＮＢとＳＧＳＮ／ＧＧＳＮとの間のインターフェースプロトコルは、従来のＩｕ制御プレーンインターフェースプロトコルと一致し、繰り返して説明しない。
【００７０】
本発明の実施例によれば、３ＧＰＰとＷＬＡＮネットワークの更なる統合を完成した。無線インタフェースは、３ＧＰＰ帯域の代わりに、無償のＷＬＡＮ帯域を用いて、オペレータに対して多くの営業費用を節約し、同時にコアネットワーク及び地上側インタフェース（すなわちＳ１／Ｉｕインタフェース）に対していかなる修正を行わず、無線インタフェースにおいて３ＧＰＰの制御プレーン機能を十分に多重化し、ネットワークのユーザに対する制御を増加し、且つより確実に移動性へのバックアップを完成できる。
【００７１】
一般の当業者は、上記方法における全部又は一部のステップをプログラムによって関連ハードウェアに命令を出して完成させることができ、当該プログラムはコンピュータ読み取り可能な記憶媒体、例えば読取り専用メモリ、ディスク又は光ディスク等に記憶してもよいと理解することができる。選択肢として、上記実施例の全部又は一部のステップが１つ又は複数のＩＣにより実現されてもよい。それに対応して、上記実施例における各モジュール／ユニットはハードウェアの形式で実現されてもよく、ソフトウェア機能モジュールの形式で実現されてもよい。本発明の実施例はあくまで１つの特定形式のハードウェアとソフトウェアの組合せの例示であって、本発明はこれに限られない。
【００７２】
当然ながら、本発明は更に他の複数種の実施例を有してもよく、本発明の趣旨及びその実質を逸脱しない範囲で、本分野に詳しい当業者が本発明に基づいて各種の相応する変更又は変形を行うことができ、これらの相応する変更又は変形はいずれも本発明の請求の範囲の保護範囲に含まれる。
【産業上の利用可能性】
【００７３】
本発明の実施例は３ＧＰＰとＷＬＡＮネットワークの統合を実現する。
【図１】
0006045689.tif 000002
【図２】
0006045689.tif 000003
【図３】
0006045689.tif 000004
【図４】
0006045689.tif 000005
【図５】
0006045689.tif 000006
【図６】
0006045689.tif 000007
【図７】
0006045689.tif 000008
【図８】
0006045689.tif 000009
【図９】
0006045689.tif 000010
【図１０】
0006045689.tif 000011
【図１１】
0006045689.tif 000012
【図１２】
0006045689.tif 000013
【図１３】
0006045689.tif 000014
【図１４】
0006045689.tif 000015
【図１５】
0006045689.tif 000016
【図１６】
0006045689.tif 000017
【図１７】
0006045689.tif 000018